(57)【特許請求の範囲】
【請求項１】
車室内に取り付けられ、上側が開口した筒状に形成されてペンが挿入されるペンホルダー本体と、
このペンホルダー本体内に設けられて前記ペンを前記ペンホルダー本体の一方側の側壁に押圧する押圧部と、
前記ペンホルダー本体の底壁に設けられ、前記ペンの先端部を受容する受容穴と、
前記底壁の下側に設けられ、前記受容穴を覆うカバー部と、
を備え、
前記押圧部は、前記ペンが前記ペンホルダー本体内に挿入されていないときに前記一方側の側壁との間に前記ペンの先端部が挿入可能な間隙を形成することを特徴とするペンホルダー。
【請求項２】
車室内に取り付けられ、上側が開口した筒状に形成されてペンが挿入されるペンホルダー本体と、
このペンホルダー本体内に設けられて前記ペンを前記ペンホルダー本体の一方側の側壁に押圧する押圧部と、
を備え、
前記ペンホルダー本体の前記一方側の側壁の内面と、この内面と対向する前記押圧部の対向面とを、対向する方向と反対の方向にそれぞれ湾曲状に形成し、
前記押圧部は、前記ペンが前記ペンホルダー本体内に挿入されていないときに前記一方側の側壁との間に前記ペンの先端部が挿入可能な間隙を形成することを特徴とするペンホルダー。
【請求項３】
車室内に取り付けられ、上側が開口した筒状に形成されてペンが挿入されるペンホルダー本体と、
このペンホルダー本体内に設けられて前記ペンを前記ペンホルダー本体の一方側の側壁に押圧する押圧部と、
を備え、
前記押圧部は、前記ペンホルダー本体内で前記一方側の側壁と対向する他方側の側壁に回動自在に支持された回動部を有し、その回動中心が前記回動部よりも下側に位置するように設定され、
前記押圧部は、前記ペンが前記ペンホルダー本体内に挿入されていないときに前記一方側の側壁との間に前記ペンの先端部が挿入可能な間隙を形成することを特徴とするペンホルダー。
【請求項４】
前記ペンホルダー本体の前記一方側の側壁の内面と、この内面と対向する前記押圧部の対向面とを、対向する方向と反対の方向にそれぞれ湾曲状に形成したことを特徴とする請求項１記載のペンホルダー。
【請求項５】
前記押圧部は、前記ペンホルダー本体内で前記一方側の側壁と対向する他方側の側壁に回動自在に支持された回動部を有し、その回動中心が前記回動部よりも下側に位置するように設定されたことを特徴とする請求項１又は２記載のペンホルダー。
【発明の詳細な説明】
【０００１】
【発明の属する技術分野】
本発明は、車室内に取り付けられるペンホルダーに関する。
【０００２】
【従来の技術】
従来、タクシー等の商用車には、車室内のインストルメントパネル等に取り付けてボールペンやシャープペン等を保持させるペンホルダーが一般的に使用されている。
【０００３】
ペンホルダーとしては、図５に示すペンホルダー１０１のように太さや形状が異なる多くの種類のペンに対応して単に上側が開口した筒状に形成したものや、図６に示すペンホルダー２０１のように上側が開口した筒状に形成し、さらに多くの種類のペンをおおまかに分けるために内部を簡単に仕切ったものがあり、ペンを挿入することによりホルダー内で保持されるように構成されている。
【０００４】
【発明が解決しようとする課題】
しかしながら、図５に示したペンホルダー１０１では単に上側が開口した筒状で構成され、図６に示したペンホルダー２０１では内部を簡単に仕切っただけであることから、ペンの種類によっては整合しない場合がある。
【０００５】
このような場合には、車両の走行中にペンがぐらつき、車両が道路の窪みに入ってバウンドしたような時にはペンホルダー１０１、２０１からペンが飛び出てしまうことがあった。したがって、このようなペンホルダー１０１、２０１においては、ペンの種類によって走行中に保持することが難しかった。
【０００６】
本発明は、かかる従来の課題に鑑みてなされたものであり、走行中でも多くの種類のペンを保持することができるペンホルダーを提供することを目的とする。
【０００７】
【課題を解決するための手段】
前記課題を解決するために本発明の請求項１、２、３記載のペンホルダーにおいては、車室内に取り付けられ、上側が開口した筒状に形成されてペンが挿入されるペンホルダー本体と、このペンホルダー本体内に設けられて前記ペンを前記ペンホルダー本体の一方側の側壁に押圧する押圧部とを備え、この押圧部は、前記ペンが前記ペンホルダー本体内に挿入されていないときに前記一方側の側壁との間に前記ペンの先端部が挿入可能な間隙を形成するものとしている。
【０００８】
かかる構成においては、間隙からペンホルダー本体内に挿入されたペンが押圧部と一方側の側壁とで挟持されるため、ペンを太さや形状に関係なく常時静止した状態で保持することが可能になる。
【０００９】
また、請求項１記載のペンホルダーにおいては、前記ペンホルダー本体の底壁に設けられ、前記ペンの先端部を受容する受容穴と、前記底壁の下側に設けられ、前記受容穴を覆うカバー部と、を備えるものとしている。
【００１０】
かかる構成においては、ペンの先端部が受容穴に受容されることによりペンホルダー本体の底壁に保持されるため、ペンがペンホルダー本体内でさらに安定して保持される。さらに、ペンホルダー本体の底壁の下側に設けられたカバー部によりペンの先端部が外部から目視されることがなくなる。
【００１３】
また、請求項２、４記載のペンホルダーにおいては、前記ペンホルダー本体の前記一方側の側壁の内面と、この内面と対向する前記押圧部の対向面とを、対向する方向と反対の方向にそれぞれ湾曲状に形成したものとしている。
【００１４】
かかる構成においては、ペンがペンホルダー本体の一方側の側壁と押圧部で囲まれて挟持されるため、一方側の側壁の内面と押圧部の対向面とが直線状に形成された場合に比べて保持力がより向上する。
【００１５】
また、請求項３、５記載のペンホルダーにおいては、前記押圧部は、前記ペンホルダー本体内で前記一方側の側壁と対向する他方側の側壁に回動自在に支持された回動部を有し、その回動中心が前記回動部よりも下側に位置するように設定されたものとしている。
【００１６】
かかる構成においては、回動部の回動範囲が回動中心よりも上側になることによりペンを引き抜くときに回動部がペンを押圧することなく広げられるため、ペンを容易に引き抜くことができる。
【００１７】
【発明の実施の形態】
以下、本発明の一実施の形態を図にしたがって説明する。
【００１８】
図１は本発明の一実施の形態を示すペンホルダー１の斜視図であり、図２はペンホルダー１に細いボールペン１０が挿入された状態を示す図１のＡ−Ａ断面図である。このペンホルダー１は、車室内のインストルメントパネル１００に取り付けられるとともにペン１０が挿入されるペンホルダー本体２と、ペンホルダー本体２内で他方側の側壁としての前壁２２に回動自在に支持されて設けられ、ペン１０を一方側の側壁としての後壁２１に押圧する押圧部３とから構成されている。
【００１９】
ペンホルダー本体２は上側が開口した筒状であって、前壁２２の上部２３と後壁２１とが垂直方向Ｂに対して後方Ｃ側に傾けて形成されている。したがって、ペンホルダー本体２は垂直方向Ｂに対して後方Ｃ側に傾けて形成されている。
【００２０】
またペンホルダー本体２は、図１に示すように後壁２１の内面２４が後方Ｃ側に向かって湾曲状に形成されている。さらに図２に示すようにペンホルダー本体２内で後壁２１の下部から底壁２５にかけてはリブ２６が形成されており、リブ２６の外面２７はテーパ状に形成されたペン１０の先端部１１の外面１２に合わせて傾斜して形成されている。
【００２１】
またペンホルダー本体２において底壁２５には、前記リブ２６に連続してペン１０の先端部１１を受容する受容穴２８が設けられており、底壁２５の下側には受容穴２８を含めて底壁２５全体を覆うカバー部２９が設けられている。
【００２２】
さらにカバー部２９の後方Ｃ側には、上方に向かって鉤状に形成されたユーティリティフック４が設けられている。
【００２３】
また、ペンホルダー本体２において前壁２２の中央部分には開口部２２ａが形成されており、開口部２２ａの左右側を構成する左右側面部２２ｂ、２２ｂ（右側面部のみ図示）間には回動軸５が架設されている。
【００２４】
さらに前壁２２において上下側には、前記インストルメントパネル１００に形成された取付穴１００ａに係止する取付部６、７が設けられている。上側の取付部６は先端部６１が上方に屈曲して鉤状に形成されている一方、下側の取付部７は先端部７１が下方に向かって突起しており、両取付部６、７が取付穴の内側の上下縁にそれぞれ係止されてペンホルダー本体２がインストルメントパネル１００に取り付けられている。
【００２５】
一方、前記押圧部３は、図２に示すように、前壁２２に回動自在に支持された回動部８と、回動部８の回動中心Ｏの周りに設けられ、回動部８を後壁２１に向かって常時付勢する付勢手段であるコイルスプリング９とから構成されている。
【００２６】
さらに回動部８は、回動する回動部材８１と、回動部材８１の下部８２に離間して設けられ回動軸５に挿通された挿通部材８３、８３（一方のみ図示）とから構成されている。
【００２７】
一方、コイルスプリング９は、回動部８の両挿通部材８３、８３間で回動軸５に挿通され、上部９１が回動部材８１の下部８２に当接しているとともに下部９２が前壁２２の下部２２ｃに外側から当接している。
【００２８】
そして、コイルスプリング９のばね力により回動部材８１を後壁２１に向かって常時付勢しており、これによって回動部材８１がペン１０を後壁２１に押圧するように構成されている。
【００２９】
また回動部材８１は、ペンホルダー本体２内で前壁２２の下部２２ｃの近傍から後壁２１に対向しながら上方に向かって延在し、図１に示すように後壁２１の内面２４と対向する対向面８４が前方Ｄ側に向かって湾曲状に形成されている。
【００３０】
また回動部材８１は、下部８２が前壁２２側に湾曲し、中間部８５が後壁２１に沿って延在し、上部８６は前壁２２側に大きく屈曲して先端部８７が前壁２２の上方に位置しており、中間部８５でペン１０に当接するよう構成されている。
【００３１】
また回動部材８１は、下部８２が前壁２２の下部２２ｃの内面２２ｄに当接して押圧方向への回動が規制されて後壁２１に当接しないように構成されている。これによって押圧部３は、図１に示すようにペン１０がペンホルダー本体２内に挿入されていないときに、回動部材８１と後壁２１との間にペン１０の先端部１１が挿入可能な間隙Ｓを形成している。
【００３２】
さらに押圧部３は、前壁２２の下部２２ｃによって回動部材８１の回動が規制されているとともに挿通部材８３が回動部材８１の下部８２に設けられていることにより、回動中心Ｏが回動部８より下側に位置するように設定されている。
【００３３】
かかる構成においてペン１０の先端部１１をペンホルダー本体２の間隙Ｓから本体内に挿入すると、回動部材８１が押し広げられてペン１０が回動部材８１の中間部８５と後壁２１とで挟持される。
【００３４】
このため、図２で示した細いボールペン１０の他に、図３の中太のシャープペン１０、図４の六角形断面を有した太いボールペン１０等、ペンを太さや形状に関係なく常時静止した状態で保持することが可能になる。よって、走行中でも種類によってペンがぐらつくことがなく、多くの種類のペン１０を保持することができる。
【００３５】
また、回動部材８１の上部８６が前壁２２側に大きく屈曲しているので、ペン１０の先端部１１をペンホルダー本体２の間隙Ｓに挿入しやすくすることができる。さらに、ペンホルダー本体２内において底壁２５の受容穴２８の上方には、外面２７がペン１０の先端部１１の外面１２に合わせて形成されたリブ２６が設けられているので、ペン１０の先端部１１がリブ２６に案内されて受容穴２８に受容される。よって、ペンホルダー１の使い勝手を向上させることができる。
【００３６】
また、ペン１０の先端部１１がペンホルダー本体２の底壁２５の受容穴２８に受容されることにより底壁２５に保持されるため、ペン１０がペンホルダー本体２内でさらに安定して保持される。よって、走行中におけるペン１０の保持機能を高めることができる。またシャープペン１０（図３参照）の場合には芯の折れも防止できる。
【００３７】
さらに、底壁２５の下側に設けられたカバー部２９によりペン１０の先端部１１が外部から目視されることがなくなる。よって、ペンホルダー１の見栄えを良くすることができる。
【００３８】
また、ペンホルダー本体２は垂直方向Ｂに対して後方Ｃ側（乗員側）に傾けて形成されているため、ペンホルダー本体を垂直方向Ｂに形成した場合と比べて、ペン１０をペンホルダー本体２内に挿入しやすくなると共に取り出しやすくなる。さらに、ペンホルダー本体２の抜け方向（斜め上方向Ｅ）と車両のバウンド方向（垂直方向Ｂ）とが同じ方向でないため、車両がバウンドしてもペン１０が抜けにくくなる。よって、ペンホルダー１の使い勝手をさらに向上させることができる。
【００３９】
また、ペンホルダー本体２の後壁２１の内面２４と押圧部３の対向面８４とを対向する方向（Ｄ方向およびＣ方向）と反対の方向（Ｃ方向およびＤ方向）にそれぞれ湾曲状に形成したので、ペン１０が後壁２１と回動部材８１とで囲まれて挟持される。
【００４０】
このため、後壁２１の内面２４と押圧部３の対向面８４とが直線状に形成された場合に比べて、走行中におけるペン１０の保持機能をさらに高めることができる。
【００４１】
また、回動中心Ｏが回動部８より下側に設定されているので、ペン１０に当接する中間部８５の回動範囲が回動中心Ｏよりも上側になる。このため、ペン１０を引き抜くときには中間部８５がペン１０を押圧することなく広げられるのでペン１０を容易に引き抜くことができる。よって、ペンホルダー１の使い勝手をさらに向上させることができる。
【００４２】
また、ペンホルダー本体２にはユーティリティフック４が設けられているのでコンビニエンスストア等の買物袋をぶら下げておくことができ、ペンホルダー１の使用範囲を広げることができる。
【００４３】
また、ユーティリティフック４と対向して上方に設けられたペンホルダー本体２の上側の取付部６が鉤状に形成されていることにより、重い買物袋を吊り下げてユーティリティフック４に荷重がかかっても、この取付部６が荷重を受けてインストルメントパネル１００の内側にしっかりと係止される。よって、ペンホルダー本体２が荷重によりインストルメントパネル１００から外れるのを防ぐことができ、ペンホルダー１の使い勝手をより一層向上させることができる。
【００４４】
なお、本実施の形態では、押圧部３をペンホルダー本体２内で前壁２２に上下に回動自在に設けたが、押圧部の設置方法はこれに限定されることはなく、本実施の形態の他に例えば押圧部を前壁２２に左右に回動自在に設けてホルダー本体２の左右いずれか一方の側壁にペン１０を押圧するように構成しても良い。
【００４５】
【発明の効果】
以上説明したように本発明の請求項１、２、３記載のペンホルダーにおいては、ペンホルダー本体内に挿入されたペンが押圧部と一方側の側壁とで挟持されるため、ペンを太さや形状に関係なく常時静止した状態で保持することが可能になる。よって、多種多様なペンを走行中でもぐらつかせることなく保持することができる。
【００４６】
また、請求項１記載のペンホルダーにおいては、ペンの先端部がペンホルダー本体の底壁で保持されるため、ペンがペンホルダー本体内でさらに安定して保持される。よって、走行中におけるペンの保持機能を高めることができる。さらに、底壁の下側に設けられたカバー部によりペンの先端部が外部から目視されることがなくなる。よって、ペンホルダーの見栄えを良くすることができる。
【００４８】
また、請求項２、４記載のペンホルダーにおいては、ペンが囲まれて挟持されるため、走行中におけるペンの保持機能をさらに高めることができる。
【００４９】
また、請求項３、５記載のペンホルダーにおいては、ペンを引き抜くときに回動部がペンを押圧することなく広げられるため、ペンを容易に引き抜くことができる。よって、ペンホルダーの使い勝手をさらに向上させることができる。
【図面の簡単な説明】
【図１】本発明の一実施の形態を示すペンホルダーの斜視図である。
【図２】ペンホルダーに細いボールペンが挿入された状態を示す図１のＡ−Ａ断面図である。
【図３】ペンホルダーに中太のシャープペンが挿入された状態を示す図１のＡ−Ａ断面図である。
【図４】ペンホルダーに断面が六角形の太いボールペンが挿入された状態を示す図１のＡ−Ａ断面図である。
【図５】従来のペンホルダーの斜視図である。
【図６】他の従来のペンホルダーの斜視図である。
【符号の説明】
１    ペンホルダー
２    ペンホルダー本体
３    押圧部
１０    ペン
１１    先端部
２１    後壁
２２    前壁
２４    内面
２５    底壁
２８    受容穴
８４    対向面
Ｂ    垂直方向
Ｏ    回動中心
Ｓ    間隙
【図１】
0004013608.tif 000002
【図２】
0004013608.tif 000003
【図３】
0004013608.tif 000004
【図４】
0004013608.tif 000005
【図５】
0004013608.tif 000006
【図６】
0004013608.tif 000007